(57)【要約】【課題】従来よりも広範囲のサイズ（径）のケーブルを保持することができるとともに、再使用が可能であるケーブルクリップを提供する。【解決手段】ネットと、ネット５でケーブル３を包み込んで保持するときに、ネット５を筒状に形成する留め具７とを有するケーブルグリップ１である。【選択図】図３
2019009831.tif 000002
【特許請求の範囲】
【請求項１】
ネットと、
前記ネットでケーブルを包み込んで保持するときに、前記ネットを筒状に形成する留め具と、
を有することを特徴とするケーブルグリップ。
【請求項２】
請求項１に記載のケーブルグリップにおいて、
前記ネットで前記ケーブルを包み込んで保持したときに、前記ネットは円筒状になり、前記留め具で留められている前記ネットの端が螺旋状になるように構成されていることを特徴とするケーブルグリップ。
【請求項３】
請求項１または請求項２に記載のケーブルグリップにおいて、
前記ネットの一部に設置されている結束コネクタを有し、
前記ケーブルを包み込んで保持するときに筒状になる前記ネットの一方の端部は、前記結束コネクタで塞がれていることを特徴とするケーブルグリップ。
【発明の詳細な説明】
【技術分野】
【０００１】
本発明は、ケーブルグリップに係り、特に、ケーブルの一端部に設置され前記ケーブルを吊る等する場合に使用されるものに関する。
【背景技術】
【０００２】
従来、図７で示すように、ワイヤを編むことで形成された筒状のワイヤネット３０１の一方の端部に結束コネクタ３０３を設けたケーブルグリップ３０５が知られている。なお、ワイヤネット３０１の他方の端は開口している（開放されている）。
【０００３】
ここで、ワイヤネット３０１の他方の端からケーブル（図７では図示せず）をワイヤネット３０１内に挿入し、結束コネクタ３０３を引っ張る。すると、ワイヤネット３０１の端部が絞られてワイヤネット３０１の径が小さくなり、ワイヤネット３０１がケーブルに付勢力をもって密着する。
【０００４】
そして、ワイヤネット３０１とケーブルとの間の摩擦力によって、ワイヤネット３０１でケーブルを把持（保持）することができるようになっている。
【０００５】
なお、従来のケーブルグリップに関する技術文献として、特許文献１を掲げることができる。
【先行技術文献】
【特許文献】
【０００６】
【特許文献１】特開２００９−１３７６４６号公報
【発明の概要】
【発明が解決しようとする課題】
【０００７】
ところで、ケーブルに従来のケーブルグリップ３０５を取り付ける際、ケーブルグリップの径がケーブルに対して大きすぎるとケーブルが抜けてしまい、ケーブルグリップの径がケーブルに対して小さすぎるとケーブルが入らない。そのため、従来のケーブルグリップ３０５は、取り付けられるケーブルの径によって型番（サイズ）を使い分けており、使用されるケーブルクリップのラインアップが多種にわたっている。また、吊り上げ治具としてケーブルに取り付けられた従来のケーブルグリップ３０５は、取り外すことがなく再使用することがない。
【０００８】
本発明は、従来よりも広範囲のサイズ（径）のケーブルを保持することができるとともに、再使用が可能であるケーブルクリップを提供することを目的とする。
【課題を解決するための手段】
【０００９】
請求項１に記載の発明は、ネットと、前記ネットでケーブルを包み込んで保持するときに、前記ネットを筒状に形成する留め具とを有するケーブルグリップである。
【００１０】
請求項２に記載の発明は、請求項１に記載のケーブルグリップにおいて、前記ネットで前記ケーブルを包み込んで保持したときに、前記ネットは円筒状になり、前記留め具で留められている前記ネットの端が螺旋状になるように構成されているケーブルグリップである。
【００１１】
請求項３に記載の発明は、請求項１または請求項２に記載のケーブルグリップにおいて、前記ネットの一部に設置されている結束コネクタを有し、前記ケーブルを包み込んで保持するときに筒状になる前記ネットの一方の端部は、前記結束コネクタで塞がれているケーブルグリップである。
【発明の効果】
【００１２】
本発明によれば、従来よりも広範囲のサイズ（径）のケーブルを保持することができるとともに、再使用が可能であるケーブルクリップを提供することができるという効果を奏する。
【図面の簡単な説明】
【００１３】
【図１】本発明の実施形態に係るケーブルグリップの概略構成を示す図である。
【図２】本発明の実施形態に係るケーブルグリップにおいて、ネットが開かれている状態を示す図である。
【図３】図２に示す状態において、ケーブルの端部をネット内に挿入した状態を示す図である。
【図４】図３に示す状態からネットを筒状にしてケーブルを保持した状態を示す図である。
【図５】本発明の実施形態に係るケーブルグリップの留め具の平面図である。
【図６】本発明の実施形態に係るケーブルグリップの留め具の正面図であって、留め具の動作を示す図である。
【図７】従来のケーブルグリップを示す図である。
【発明を実施するための形態】
【００１４】
本発明の実施形態に係るケーブルグリップ１は、たとえば、ケーブル３の先端を保持することで、ケーブル３を管路（図示せず）内に引き入れるとき使用されるものである。ケーブルグリップ１は、図１〜図４で示すように、ネット（網状部材）５と留め具７とを備えて構成されている。
【００１５】
ネット５は、たとえば、ワイヤ９を編むことによって網状に形成されており、可撓性を備えている。ネット５は、これが展開された状態をネット５の厚さ方向で見ると所定形状に形成されている。
【００１６】
留め具７は、ネット５に設けられており、ネット５でケーブル３を包み込んで保持するときに、ネット５を筒状に形成（係止）するものである（ネット５の筒状の形状を維持するためのものである）。
【００１７】
なお、留め具７での係止がされていない状態（留めがされていない状態）では、ネット５は、後述する結束コネクタ１１近傍の部位を除いて平板状（平面状）に展開できるようになっている。また、ネット５が筒状に形成されるときの筒（ネット５）の内径や外径は、留め具７によるネット５の係止位置を変えることで、変更することができるようになっている。
【００１８】
ネット５でケーブル３を包み込んで保持しているときには、図４で示すように、ネット５は円筒状に形成される。円筒状に形成されているネット５の、留め具７で留められているネット５の端１３、１５は、螺旋状になる。
【００１９】
また、ネット５でケーブル３を包み込んで保持しているときには、筒状のネット５の周方向の一部（端１３からこの近傍にかけての部位、端１５からこの近傍にかけての部位）で、ネット５同士が重なっている。
【００２０】
ケーブルグリップ１には、結束コネクタ１１が設けられている。結束コネクタ１１は、ネット５の一部に一体的に設置されている。
【００２１】
そして、ケーブル３を包み込んで保持するときに筒状になるネット５の一方の端（ネットの筒の中心軸の延伸方向における一方の端；上端）が、結束コネクタ１１で塞がれている。
【００２２】
なお、ケーブル３を包み込んで保持するときに筒状になるネット５の他方の端（下端）は開口している。すなわち、ケーブル３を包み込んで保持するときに筒状になっているネット５は、有底円筒状になる。そして、ケーブル３の端部が、ネット５の開口部（ネット５の他方の端）１９から筒状のネット５内に入り込んでいる。
【００２３】
ここで、ケーブルグリップ１についてさらに詳しく説明する。
【００２４】
ネット５単体は、平板状に展開させることができる。平板状に展開されているネット５をこの厚さ方向で見ると、たとえば、略扇形に形成されている。略扇形は、第１の扇形から第２の扇形を除去した形状である。この場合、第１の扇形と第２の扇形とはお互いが相似の関係になっている。第１の扇形は、第２の扇形よりも大きくなっている。また、第１の扇形の中心角の位置と、第２の扇形の中心角の位置とはお互いが一致している。
【００２５】
ここで、略扇形の大きい方の円弧（第１の扇形の円弧）を第１の円弧とし、略扇形の小さい方の円弧（第２の扇形の円弧）を第２の円弧とし、第１の円弧の一方の端と第２の円弧の一方の端とをつないでいる線分（直線）を第１の線分とし、第１の円弧の他方の端と第２の円弧の他方の端とをつないでいる線分（直線）を第２の線分とする。
【００２６】
結束コネクタ１１は、第２の円弧のところで、ネット５を束ねて保持している。したがって、結束コネクタ１１が設けられているネット５は、留め具７による係止がされていなければ、結束コネクタ１１近傍の部位を除いて平面状に展開されるようになっている。
【００２７】
留め具７は複数設けられており、各留め具７は、第１の線分のところ（ネットの端１３）で、第１の線分の延伸方向に所定の間隔をあけてならんで設けられている。
【００２８】
また、各留め具７のそれぞれは、第２の線分のところ（ネットの端１５）のところもしくはこの端１５から所定の距離だけ離れている複数の箇所（第２の線分の延伸方向に所定の間隔をあけてならんでいる箇所）でネット５に係止されるようになっている。
【００２９】
なお、平板状に展開されているネット５単体が、この厚さ方向で見て、四角形状等の他の所定形状に形成されていてもよい。
【００３０】
次に、留め具７について詳しく説明する。
【００３１】
留め具７は、図５、図６で示すように、留め具本体２１と、第１のフック形成部材２３と第２のフック形成部材２５とを備えて構成されている。
【００３２】
留め具本体２１は直方体状に形成されており、ネット５の端１３のワイヤ９に一体的に設けられている。第１のフック形成部材２３は、図６で示すように、正面視において「Ｊ」字状に形成されており、留め具本体２１と一体になって留め具本体２１の１つの面（ワイヤ９とは反対側の面）から突出している。
【００３３】
図６で示すように、第２のフック形成部材２５は、正面視において「Ｉ」字状に形成されている。第２のフック形成部材２５は、留め具本体２１に移動自在に設けられており、この移動によって環状部位２７を形成し（図６（ａ）（ｄ）参照）、また、環状部位２７を解放する（無くす）ようになっている（図６（ｂ）（ｃ）参照）。
【００３４】
また、第２のフック形成部材２５には、つまみ部２９が一体で設けられている。つまみ部２９は、フック形成部材２３、２５が突出している面と隣接している留め具本体２１の面から僅かに突出している。
【００３５】
なお、常態（つまみ部２９や第２のフック形成部材２５に環状部位２７を解放する力が加わっていない状態）では、図示しないバネ等の弾性体で付勢されているこことで、第２のフック形成部材２５が図６の左方向に付勢されて環状部位２７が形成されている。
【００３６】
上記常態において、つまみ部２９に、図６（ｂ）に矢印で示す力を加えると、第２のフック形成部材２５が図６の右方向に移動し、環状部位２７が解放されるようになっている。
【００３７】
そして、環状部位２７が解放されている状態で、図６（ｃ）で示すように、環状部位２７内に、ネット５の端１５のワイヤ９もしくは端１５から所定の距離だけ離れているところのワイヤ９を入れ、図６（ｂ）に矢印で示す力を取り除く。すると、第２のフック形成部材２５が図６の左方向に移動し、環状部位２７が形成され、ワイヤ９が保持され、ネット５が筒状に形成されるようになっている（図６（ｄ）参照）。
【００３８】
なお、図６（ｃ）（ｄ）で示すワイヤ９は、ネット５の各格子のうちの１つの格子を形成しているものである。
【００３９】
次に、ケーブルグリップ１によるケーブル３の保持動作について説明する。
【００４０】
初期状態では、図２で示すように、留め具７がネット５の端１５等から外れており、ネット５は、ある程度巻かれた態様になっているが、各端１３、１５はお互いが離れており、筒状にはなっていないものとする。
【００４１】
上記初期状態において、図３で示すように、ネット５内に、複数本もしくは１本のケーブル３の端部を挿入する。
【００４２】
続いて、ケーブル３をネット５で付勢力を持って巻き、ネット５の端１５もしくはこの端部から所定の距離だけ離れた箇所で、留め具７をネット５のワイヤ９に留める。このとき、ネット５が円筒状になるように、端１３、１５を螺旋状に延伸させる。また、留め具７を留めるネット５の位置は、挿入されたケーブル３の外径によって適宜調整される。
【００４３】
ケーブル３の保持を解除するときには、ワイヤ９を留めていた留め具７をワイヤ９から外す。この後、ケーブルグリップ１は、他のサイズのケーブル３にも再利用される。
【００４４】
ケーブルグリップ１によれば、ケーブル３を包み込んで保持するときに、留め具７によってネット５が筒状に形成されるので、留め具７によるネット５の係止位置を変えることで、従来よりも広範囲のサイズ（径）のケーブル３（場合によっては複数本のケーブル３）を保持することができる。また、ケーブル３を保持している状態から留め具７による係止を解放すれば、ネット５が再び平面状に展開するので、再使用することができる。
【００４５】
また、ケーブルグリップ１によれば、ネット５でケーブル３を包み込んで保持するときに、ネット５が円筒状になるとともに、留め具７で留められているネットの端１３、１５が螺旋状になる。これにより、付勢力をもってネット５でケーブル３を包み込むことが容易になり、ケーブル３を一層確実に保持することができる。
【００４６】
また、ケーブルグリップ１によれば、ケーブル３を包み込んで保持するときに筒状になるネット５の一方の端部が結束コネクタ１１で塞がれているので、ケーブルグリップ１を引っ張るための結束コネクタ１１を用いてネット５を容易にしかも強固に筒状に形成することができる。
【符号の説明】
【００４７】
１  ケーブルグリップ
３  ケーブル
５  ネット
７  留め具
１１  結束コネクタ
１３、１５  ネットの端
【図１】
2019009831.tif 000003
【図２】
2019009831.tif 000004
【図３】
2019009831.tif 000005
【図４】
2019009831.tif 000006
【図５】
2019009831.tif 000007
【図６】
2019009831.tif 000008
【図７】
2019009831.tif 000009